(57)【要約】【課題】内視鏡検査システムにおける検査予約の検査室への割り当てを最適に行うことが可能なシステムを低コストで提供する。【解決手段】複数ある検査室２０Ｃの中から、予約された検査を実施する検査室を決定する支援を行う検査室決定支援システムであって、情報を入力するための入力部２２ａと、入力部２２ａによって入力される情報にしたがって、複数の検査室２０Ｃの各々の検査待ち人数を示す情報と、複数の検査室２０Ｃの各々で使用される内視鏡検査装置２４の情報とをデータベースＤＢに登録する登録機能、及び、複数の検査室２０Ｃの各々の検査待ち人数を示す情報及び各検査室２０Ｃの内視鏡検査装置２４の情報をデータベースＤＢから読み出し、それぞれを対応付けて表示部２２ｂに表示させる制御機能を有する制御部２２ｅとを備える。【選択図】図２
2011096235.tif 000002
【特許請求の範囲】
【請求項１】
複数ある検査室の中から、依頼された内視鏡検査を実施する検査室を決定する支援を行う検査室決定支援システムであって、
情報を入力するための入力手段と、
前記入力手段によって入力される情報にしたがって、少なくとも、前記検査室を示す情報、前記検査室の検査待ち人数を示す情報、及び前記検査室で使用される内視鏡装置の情報をデータベースに登録する登録手段と、
少なくとも、前記検査室を示す情報、前記検査室の検査待ち人数を示す情報、及び前記検査室の前記内視鏡装置の情報を前記データベースから読み出し、それぞれを対応付けて表示装置に表示させる制御手段と、を備える検査室決定支援システム。
【請求項２】
請求項１記載の検査室決定支援システムであって、
前記登録手段が、前記検査室で検査を担当する医師の情報も前記データベースに登録し、
前記制御手段が、前記データベースから前記検査室の前記医師の情報を読み出し、該情報を該検査室を示す情報と対応付けて前記表示装置に表示させる検査室決定支援システム。
【請求項３】
請求項１又は２記載の検査室決定支援システムであって、
前記制御手段が、前記検査の依頼に関する検査依頼情報の一覧を前記データベースから読み出して前記検査室を示す情報と共に前記表示装置に表示させ、
前記登録手段が、前記表示装置に表示される検査依頼情報の中から１つの検査依頼情報が前記入力手段を介して選択され、かつ、前記表示装置に表示された複数の前記検査室を示す情報の中から１つの前記検査室を示す情報が前記入力手段を介して選択されると、前記データベースに登録される当該選択された検査室の検査待ち人数を１つ増やして前記検査待ち人数を示す情報を更新する検査室決定支援システム。
【請求項４】
請求項３記載の検査室決定支援システムであって、
前記制御手段が、前記検査の依頼に関する検査依頼情報のうち、終了した検査に関する検査依頼情報を除外したものを前記表示装置に表示させる検査室決定支援システム。
【請求項５】
請求項３記載の検査室決定支援システムであって、
前記制御手段が、前記検査の依頼に関する検査依頼情報のうち、前記入力手段を介して選択されたもののみを前記表示装置に表示させる検査室決定支援システム。
【請求項６】
請求項３〜５のいずれか１項記載の検査室決定支援システムであって、
前記制御手段が、前記表示装置に表示される検査依頼情報の中から１つの検査依頼情報が前記入力手段を介して選択され、かつ、前記表示装置に表示された複数の前記検査室を示す情報の中から１つの前記検査室を示す情報が前記入力手段を介して選択されると、当該選択された１つの検査依頼情報を前記表示装置の表示画面上から削除する検査室決定支援システム。
【請求項７】
請求項１〜６のいずれか１項記載の検査室決定支援システムであって、
前記複数の検査室の少なくとも一部に設置され、設置された前記検査室の中を撮影する撮影装置、で撮影して得られた撮影画像データを前記撮影装置から取得する撮影画像データ取得手段を備え、
前記制御手段が、前記少なくとも一部の前記検査室の各々、又は、前記少なくとも一部の前記検査室の中から選択された検査室を示す情報と対応付けて、該検査室の前記撮影装置で撮影して得られた前記撮影画像データを前記表示装置に表示させる検査室決定支援システム。
【請求項８】
請求項７記載の検査室決定支援システムであって、
前記複数の検査室の少なくとも一部に設置された第一の通話制御装置と通話するための第二の通話制御装置を備え、
前記制御手段が、前記第一の通話制御装置が設置された前記検査室に関しては、前記検査室を示す情報と対応付けて前記検査室との通話を指示するための操作メニューを前記表示装置に表示し、
前記第二の通話制御装置は、前記操作メニューによって前記検査室との通話が指示されたときに、前記検査室に設置された前記第一の通話制御装置と通信して該第一の通話制御装置と通話可能にする制御を行う検査室決定支援システム。
【請求項９】
請求項７又は８記載の検査室決定支援システムであって、
前記検査室において検査の準備が完了したことを示す準備完了情報を取得する準備完了情報取得手段と、
前記検査室において検査が開始されたことを示す検査開始情報を取得する検査開始情報取得手段と、
前記検査室の前記撮影装置で撮影して得られた前記撮影画像データに基づいて、当該撮影画像データに含まれる人の数を判定する判定手段と、
前記準備完了情報を取得してから前記検査開始情報を取得するまでの間に、当該撮影画像データに含まれる人の数が２人未満となっている時間が閾値を越えた場合に、前記検査室で患者が待たされていることを警告する情報を前記表示装置に表示させる警告情報表示制御手段とを含む装置を備える検査室決定支援システム。
【請求項１０】
請求項１〜８のいずれか１項記載の検査室決定支援システムであって、
前記検査室において検査の準備が完了したことを示す準備完了情報を取得する準備完了情報取得手段と、
前記検査室において検査が開始されたことを示す検査開始情報を取得する検査開始情報取得手段と、
前記準備完了情報を取得してから前記検査開始情報を取得するまでの時間が閾値を越えた場合に、前記検査室で患者が待たされていることを警告する情報を前記表示装置に表示させる警告情報表示制御手段とを含む装置を備える検査室決定支援システム。
【請求項１１】
請求項１０記載の検査室決定支援システムであって、
前記検査開始情報が、前記内視鏡装置において１回目の静止画撮影を行って生成される画像データである検査室決定支援システム。
【請求項１２】
請求項１０又は１１記載の検査室決定支援システムであって、
前記閾値が、前記検査室で行われる検査の検査対象部位及び前記検査室で検査を担当する医師の少なくとも一方に応じて異なる値となっている検査室決定支援システム。
【請求項１３】
請求項９〜１２のいずれか１項記載の検査室決定支援システムであって、
前記準備完了情報が、前記内視鏡装置から送信されてくる動画データである検査室決定支援システム。
【請求項１４】
請求項１〜１３のいずれか１項記載の検査室決定支援システムであって、
前記内視鏡装置の情報が、前記内視鏡装置で検査できる部位の情報を含み、
前記依頼された検査の内容及び前記内視鏡装置の情報に基づいて、前記依頼された検査を実施可能な検査室を特定する特定手段と、
前記特定手段で特定された検査室を、前記表示装置に情報を表示させることで外部に通知する通知手段とを備える検査室決定支援システム。
【請求項１５】
請求項１〜１４のいずれか１項記載の検査室決定支援システムであって、
前記登録手段が、前記検査室で準備されている薬剤の情報も前記データベースに登録し、
前記制御手段が、前記データベースから前記検査室の前記薬剤の情報を読み出し、該情報を前記検査室を示す情報と対応付けて前記表示装置に表示させる検査室決定支援システム。
【請求項１６】
請求項１〜１５のいずれか１項記載の検査室決定支援システムであって、
前記登録手段が、前記検査室での作業の進捗状況の情報も前記データベースに登録し、
前記制御手段が、前記データベースから前記検査室での作業の進捗状況の情報を読み出し、該情報を前記検査室を示す情報と対応付けて前記表示装置に表示させる検査室決定支援システム。
【請求項１７】
複数ある検査室の中から、依頼された内視鏡検査を実施する検査室を決定する支援をコンピュータにより行う検査室決定支援方法であって、
情報を入力するための入力手段によって入力される情報にしたがって、少なくとも、前記検査室を示す情報、前記検査室の検査待ち人数を示す情報、及び前記検査室で使用される内視鏡装置の情報とをデータベースに登録する登録ステップと、
少なくとも、前記検査室を示す情報、前記検査室の検査待ち人数を示す情報、及び前記検査室の前記内視鏡装置の情報を前記データベースから読み出し、それぞれを対応付けて表示装置に表示させる制御ステップと、を備える検査室決定支援方法。
【請求項１８】
請求項１７記載の検査室決定支援方法であって、
前記登録ステップでは、前記検査室で検査を担当する医師の情報も前記データベースに登録し、
前記制御ステップでは、前記データベースから前記検査室の前記医師の情報を読み出し、該情報を該検査室を示す情報と対応付けて前記表示装置に表示させる検査室決定支援方法。
【請求項１９】
請求項１７又は１８記載の検査室決定支援方法であって、
前記制御ステップでは、前記検査の依頼に関する検査依頼情報の一覧を前記データベースから読み出して前記検査室を示す情報と共に前記表示装置に表示させ、
前記登録ステップでは、前記表示装置に表示される検査依頼情報の中から１つの検査依頼情報が前記入力手段を介して選択され、かつ、前記表示装置に表示された複数の前記検査室を示す情報の中から１つの前記検査室を示す情報が前記入力手段を介して選択されると、前記データベースに登録される当該選択された検査室の検査待ち人数を１つ増やして前記検査待ち人数を示す情報を更新する検査室決定支援方法。
【請求項２０】
請求項１９記載の検査室決定支援方法であって、
前記制御ステップでは、前記検査の依頼に関する検査依頼情報のうち、終了した検査に関する検査依頼情報を除外したものを前記表示装置に表示させる検査室決定支援方法。
【請求項２１】
請求項１９記載の検査室決定支援方法であって、
前記制御ステップでは、前記検査の依頼に関する検査依頼情報のうち、前記入力手段を介して選択されたもののみを前記表示装置に表示させる検査室決定支援方法。
【請求項２２】
請求項１９〜２１のいずれか１項記載の検査室決定支援方法であって、
前記制御ステップでは、前記表示装置に表示される検査依頼情報の中から１つの検査依頼情報が前記入力手段を介して選択され、かつ、前記表示装置に表示された複数の前記検査室を示す情報の中から１つの前記検査室を示す情報が前記入力手段を介して選択されると、当該選択された１つの検査依頼情報を前記表示装置の表示画面上から削除する検査室決定支援方法。
【請求項２３】
請求項１７〜２２のいずれか１項記載の検査室決定支援方法であって、
前記複数の検査室の少なくとも一部に設置され、設置された前記検査室の中を撮影する撮影装置、で撮影して得られた撮影画像データを前記撮影装置から取得する撮影画像データ取得ステップを備え、
前記制御ステップでは、前記少なくとも一部の前記検査室、又は、前記少なくとも一部の前記検査室の中から選択された検査室を示す情報と対応付けて、該検査室の前記撮影装置で撮影して得られた前記撮影画像データを前記表示装置に表示させる検査室決定支援方法。
【請求項２４】
請求項２３記載の検査室決定支援方法であって、
前記制御ステップでは、前記検査室を示す情報と対応付けて、前記検査室に設置された通話制御装置による通話を指示するための操作メニューも前記表示装置に併せて表示し、
前記操作メニューによって前記検査室との通話が指示されたときに、前記検査室に設置された前記通話制御装置と通信して該通話制御装置との通話を可能にする制御を行う通話制御ステップを備える検査室決定支援方法。
【請求項２５】
請求項２３又は２４記載の検査室決定支援方法であって、
前記検査室において検査の準備が完了したことを示す準備完了情報を取得する準備完了情報取得ステップと、
前記検査室において検査が開始されたことを示す検査開始情報を取得する検査開始情報取得ステップと、
前記検査室の前記撮影装置で撮影して得られた前記撮影画像データに基づいて、当該撮影画像データに含まれる人の数を判定する判定ステップと、
前記準備完了情報を取得してから前記検査開始情報を取得するまでの間に、当該撮影画像データに含まれる人の数が２人未満となっている時間が閾値を越えた場合に、前記検査室で患者が待たされていることを警告する情報を前記表示装置に表示させる警告情報表示制御ステップとを含む検査室決定支援方法。
【請求項２６】
請求項１７〜２４のいずれか１項記載の検査室決定支援方法であって、
前記検査室において検査の準備が完了したことを示す準備完了情報を取得する準備完了情報取得ステップと、
前記検査室において検査が開始されたことを示す検査開始情報を取得する検査開始情報取得ステップと、
前記準備完了情報を取得してから前記検査開始情報を取得するまでの時間が閾値を越えた場合に、前記検査室で患者が待たされていることを警告する情報を前記表示装置に表示させる警告情報表示制御ステップとを含む検査室決定支援方法。
【請求項２７】
請求項２６記載の検査室決定支援方法であって、
前記検査開始情報が、前記内視鏡装置において１回目の静止画撮影を行って生成される画像データである検査室決定支援方法。
【請求項２８】
請求項２６又は２７記載の検査室決定支援方法であって、
前記閾値が、前記検査室で行われる検査の検査対象部位及び前記検査室で検査を担当する医師の少なくとも一方に応じて異なる値となっている検査室決定支援方法。
【請求項２９】
請求項２５〜２８のいずれか１項記載の検査室決定支援方法であって、
前記準備完了情報が、前記内視鏡装置から送信されてくる動画データである検査室決定支援方法。
【請求項３０】
請求項１７〜２９のいずれか１項記載の検査室決定支援方法であって、
前記内視鏡装置の情報が、前記内視鏡装置で検査できる部位の情報を含み、
前記依頼された検査の内容及び前記内視鏡装置の情報に基づいて、前記依頼された検査を実施可能な検査室を特定する特定ステップと、
前記特定ステップで特定した検査室を、前記表示装置に情報を表示させることで外部に通知する通知ステップとを備える検査室決定支援方法。
【請求項３１】
請求項１７〜３０のいずれか１項記載の検査室決定支援方法であって、
前記登録ステップでは、前記検査室で準備されている薬剤の情報も前記データベースに登録し、
前記制御ステップでは、前記データベースから前記検査室の前記薬剤の情報を読み出し、該情報を前記検査室を示す情報と対応付けて前記表示装置に表示させる検査室決定支援方法。
【請求項３２】
請求項１７〜３１のいずれか１項記載の検査室決定支援方法であって、
前記登録ステップでは、前記検査室での作業の進捗状況の情報も前記データベースに登録し、
前記制御ステップでは、前記データベースから前記検査室での作業の進捗状況の情報を読み出し、該情報を前記検査室を示す情報と対応付けて前記表示装置に表示させる検査室決定支援方法。
【請求項３３】
コンピュータに、請求項１７〜３２のいずれか１項記載の検査室決定支援方法の前記登録ステップ及び前記制御ステップを実行させるための検査室決定支援プログラム。
【発明の詳細な説明】
【技術分野】
【０００１】
本発明は、内視鏡検査のオーダに基づく検査を、複数ある検査室のどの検査室で行うかを決める検査室割り振り作業（部屋割り作業）を支援する検査室決定支援システム、検査室決定支援方法、検査室決定支援プログラムに関する。
【背景技術】
【０００２】
医療用検査のオーダに基づく検査を、複数ある検査室のどの検査室で行うかを決める部屋割り作業を支援する検査室決定支援システムが存在する。特許文献１には、検査室毎の予約枠に自動取得パターン（検査機器の検査種別、検査部位等の利用条件を定めたもの）が格納され、予約時は、検査室の予約状況を表示させ、自動予約指示を行うと、予約待ち案件の内容と自動取得パターンが一致する予約枠に予約待ち案件を割り当てるシステムが開示されている。
【０００３】
内視鏡検査における検査予約の検査室への割り当ては、検査対象部位、検査装置の種類等の複合的な要因によって決める必要がある。しかし、特許文献１に開示されたシステムのように、割り当て作業を自動で行おうとすると、システム構築のコストが増大してしまう。
【先行技術文献】
【特許文献】
【０００４】
【特許文献１】特開２００５−０４４２１０号公報
【発明の概要】
【発明が解決しようとする課題】
【０００５】
本発明は上記事情に鑑みてなされたものであり、内視鏡検査システムにおける検査予約の検査室への割り当てを最適に行うことが可能なシステム、方法、及びプログラムを低コストで提供することを目的とする。
【課題を解決するための手段】
【０００６】
本発明の検査室決定支援システムは、複数ある検査室の中から、依頼された内視鏡検査を実施する検査室を決定する支援を行う検査室決定支援システムであって、情報を入力するための入力手段と、前記入力手段によって入力される情報にしたがって、少なくとも、前記検査室を示す情報、前記検査室の検査待ち人数を示す情報、及び前記検査室で使用される内視鏡装置の情報をデータベースに登録する登録手段と、少なくとも、前記検査室を示す情報、前記検査室の検査待ち人数を示す情報、及び前記検査室の前記検査装置の情報を前記データベースから読み出し、それぞれを対応付けて表示装置に表示させる制御手段と、を備える。
【０００７】
本発明の検査室決定支援方法は、複数ある検査室の中から、依頼された内視鏡検査を実施する検査室を決定する支援をコンピュータにより行う検査室決定支援方法であって、情報を入力するための入力手段によって入力される情報にしたがって、少なくとも、前記検査室を示す情報、前記検査室の検査待ち人数を示す情報、及び前記検査室で使用される検査装置の情報をデータベースに登録する登録ステップと、少なくとも、前記検査室を示す情報、前記検査室の検査待ち人数を示す情報、及び前記検査室の前記検査装置の情報を前記データベースから読み出し、それぞれを対応付けて表示装置に表示させる制御ステップと、を備える。
【０００８】
本発明の検査室決定支援プログラムは、コンピュータに、前記検査室決定支援方法の前記登録ステップ及び前記制御ステップを実行させるためのプログラムである。
【発明の効果】
【０００９】
本発明によれば、内視鏡検査システムにおける検査予約の検査室への割り当てを最適に行うことが可能なシステム、方法、及びプログラムを低コストで提供することができる。
【図面の簡単な説明】
【００１０】
【図１】病院内システム全体構成を示す図
【図２】図１に示すシステムにおける内視鏡部門システムの概略構成を示す図
【図３】図２に示す内視鏡部門システムにおけるクライアントＰＣ２２の概略構成を示す図
【図４】図２に示すクライアントＰＣにインストールされるアプリケーションの基本画面を示す図
【図５】図４に示す基本画面で“部屋割り”ボタンを押したときに遷移する部屋割り画面例を示す図
【図６】図２に示すシステム構成の第一の変形例を示す図
【図７】図６に示したクライアントＰＣにインストールされるアプリケーションの基本画面で“部屋割り”ボタンを押したときに遷移する部屋割り画面例を示す図
【図８】図２に示すシステム構成の第二の変形例を示す図
【図９】図８に示したクライアントＰＣにインストールされるアプリケーションの基本画面で「部屋割り」ボタンを押したときに遷移する部屋割り画面例を示す図
【図１０】部屋割りアイコンをハイライトする例を示した図
【図１１】第七の変形例のシステムで実施する患者ケア制御の動作フローを示す図
【図１２】第八の変形例のシステムで実施する患者ケア制御の動作フローを示す図
【発明を実施するための形態】
【００１１】
以下、本発明の実施形態について図面を参照して説明する。
【００１２】
図１は、病院内システム全体構成を示す図である。図１に示すシステムは、病院情報システム（ＨＩＳ：Ｈｏｓｐｉｔａｌ  Ｉｎｆｏｒｍａｔｉｏｎ  Ｓｙｓｔｅｍ）１０と、内視鏡部門システム２０と、病理部門システム３０と、医用画像保管システム（ＰＡＣＳ：Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ）４０と、他部門システム５０とを備え、これらは院内ＬＡＮ６０に接続されて相互に連携可能となっている。
【００１３】
ＨＩＳ１０は、医療事務会計システム、診療予約システム、診療情報システム等を含む包括的なシステムであり、電子カルテデータベース等を有する。電子カルテデータベースには、患者の診療情報を記録した電子カルテが保管される。
【００１４】
他の診療科から、内視鏡部門に対して検査依頼が行われる場合の検査の依頼（オーダ）に関する情報（以下、検査依頼情報という）が発行されると、この検査依頼情報がＨＩＳ１０を介して内視鏡部門システム２０に送信される。
【００１５】
検査依頼情報には、例えば、患者情報、オーダーキー情報（「オーダ番号」「発生日時」等）、依頼元情報（「依頼科名」「依頼医師名」「依頼日」等）、オーダ情報（「依頼病名」「検査目的」「検査種別」「検査項目」「検査部位」「コメント」等）、検査予約情報（「検査日」「実施時刻」等）等が含まれる。患者情報は、患者に関する情報であり、「患者固有の情報である患者ＩＤ」、「患者氏名」、「生年月日」「年齢」「性別」「入院／外来区分」等が含まれる。
【００１６】
内視鏡部門システム２０は、内視鏡部門の管理を行うためのシステムである。
【００１７】
病理部門システム３０は、病理部門の管理を行うためのシステムである。
【００１８】
ＰＡＣＳ４０は、内視鏡装置、ＣＴ、ＭＲＩ等の医療画像診断装置からの検査画像を電子的に保存、検索、解析するシステムである。
【００１９】
他部門システム５０は、その他の部門の管理を行うためのシステムである。
【００２０】
図２は、図１に示すシステムにおける内視鏡部門システムの一例の概略構成を示す図である。内視鏡部門には、受付２０Ａと、前処置室２０Ｂと、複数の内視鏡検査室（以下、検査室）２０Ｃと、洗浄室２０Ｄと、カンファレンス室２０Ｅとが含まれる。
【００２１】
受付２０Ａは、検査の受付を行う場所である。前処置室２０Ｂは、内視鏡検査の前に行う問診及び前処置を行うための部屋である。検査室２０Ｃは、内視鏡検査を行うための部屋である。洗浄室２０Ｄは、内視鏡検査に用いたスコープ等の洗浄を行うための部屋である。
【００２２】
図２に示す内視鏡部門システム２０は、内視鏡部門サーバ２１と、複数のクライアントＰＣ２２と、画像入力装置２３と、内視鏡検査装置（内視鏡装置）２４と、洗浄管理装置２５と、洗浄機２６とを備える。内視鏡部門サーバ２１、複数のクライアントＰＣ２２、画像入力装置２３、及び洗浄管理装置２５は部門内ＬＡＮ２７に接続されている。部門内ＬＡＮ２７は院内ＬＡＮ６０に接続されている。
【００２３】
図３は、図２に示す内視鏡部門システムにおけるクライアントＰＣの内部構成を示すブロック図である。図３に示すように、各クライアントＰＣ２２は、入力部２２ａ、表示部２２ｂ、記録部２２ｃ、送受信部２２ｄ、及び制御部２２ｅで構成される。
【００２４】
入力部２２ａは、各種入力を行うための入力手段であり、キーボード、タッチパネル等の入力デバイスや、マウス・トラックボール等のポインティングデバイスから構成されている。
【００２５】
表示部２２ｂは、画像、レポート等の各種表示を行うための表示装置であり、ＬＣＤやＣＲＴなどで構成されている。
【００２６】
記録部２２ｃは、各種データを記録するためのハードディスク等で構成されている。
【００２７】
送受信部２２ｄは、送受信インタフェイス回路などから構成され、各種指示、各種要求、及び各種データを、部門内ＬＡＮ２７を介して送受信する処理を実行する。
【００２８】
制御部２２ｅは、ＣＰＵ（ｃｅｎｔｒａｌ  ｐｒｏｃｅｓｓｉｎｇ  ｕｎｉｔ）等の演算処理装置と、プログラムを格納するＲＯＭ（ｒｅａｄ−ｏｎｌｙ  ｍｅｍｏｒｙ）等のプログラム格納部と、記憶部とを含む。
【００２９】
制御部２２ｅ内の記憶部は、上記プログラムを実行するときのワークエリアを構成するシステムメモリや不揮発性ＲＡＭ（ｒａｎｄｏｍ  ａｃｃｅｓｓ  ｍｅｍｏｒｙ）などで構成される。
【００３０】
制御部２２ｅは、上記プログラム、部門内ＬＡＮ２７を介し外部から送信される各種の要求、及び入力部２２ａから入力される指示情報などに従ってクライアントＰＣ２２の各部の制御を行う。
【００３１】
画像入力装置２３及び内視鏡検査装置２４は、複数の検査室２０Ｃの各々に設置されている。
【００３２】
画像入力装置２３は、それが設置される検査室２０Ｃの内視鏡検査装置２４に接続されている。画像入力装置２３は、接続された内視鏡検査装置２４で撮影して得られた画像データを内視鏡部門サーバ２１に入力するための装置である。画像入力装置２３によって入力された画像データは、内視鏡部門サーバ２１の制御により、ＰＡＣＳ４０によって保管される。なお、内視鏡検査装置２４として、画像入力装置２３を一体化したものを用いてもよい。
【００３３】
洗浄機２６と洗浄管理装置２５は洗浄室２０Ｄに設置されている。洗浄機２６は、内視鏡検査に用いたスコープ等の洗浄を行う機器である。
【００３４】
洗浄管理装置２５は、洗浄機２６に接続されており、洗浄機２６による洗浄履歴等の情報を内視鏡部門サーバ２１に登録するためのコンピュータである。
【００３５】
内視鏡部門サーバ２１は、クライアントＰＣ２２、画像入力装置２３、及び洗浄管理装置２５を統括制御するコンピュータである。内視鏡部門サーバ２１には、データベースＤＢが内蔵されており、このデータベースＤＢに各種情報（検査依頼情報、検査結果情報等）が格納される。
【００３６】
クライアントＰＣ２２には、所定のアプリケーションプログラムがインストールされており、このプログラムにより、データベースＤＢに記録されているデータの参照及び編集、データベースへのデータの登録等が可能となっている。
【００３７】
このアプリケーションの基本画面は例えば図４に示したようになる。ユーザが、クライアントＰＣ２２でアプリを立ち上げてログインすると、制御部２２ｅは、基本画面データをデータベースＤＢから取得し、図４に示した基本画面を表示部２２ｂに表示させる。この基本画面は、検査依頼情報（一部を抜粋した情報）の一覧リストを表示する領域Ａと、各種操作ボタンを表示する領域Ｂと、リストで選択された検査依頼情報に対して有効なランチャーを表示する領域Ｃとで構成されている。
【００３８】
領域Ａのリストには、“来院”“受付”“検査”“会計”等の処理項目が表示され、各処理項目で示される処理が終了した場合に、各処理項目に“○”印が表示されるようになっている。この印を表示するためのデータについては、各処理が終了したときに、内視鏡部門サーバ２１によってデータベースＤＢに登録される。例えば、内視鏡部門サーバ２１は、検査依頼情報に基づく検査が終了すると、検査が終了したことを示す情報を該検査依頼情報に対応付けてデータベースＤＢに登録する。これにより、“検査”の処理項目に“○”印が表示されるようになる。なお、各処理が終了したかどうかの情報は、手動によって入力しても良いし、クライアントＰＣ２２や内視鏡検査装置２４から自動的に通知できるようにしても良い。
【００３９】
クライアントＰＣ２２の制御部２２ｅは、この基本画面を表示するためのデータをデータベースＤＢから定期的に取得し、表示部２２ｂに表示させる。
【００４０】
このアプリケーションは、操作ボタンとして“部屋割り”ボタンＢ１を有し、“部屋割り”ボタンＢ１は、図４に示した基本画面の領域Ｂに表示される。このボタンＢ１は、複数ある検査室２０Ｃの中から、予約された検査を実施する検査室を決定する部屋割り作業を行うためのボタンである。
【００４１】
“部屋割り”ボタンＢ１が押されると、クライアントＰＣ２２の制御部２２ｅは、図５に示す画面を表示するためのデータをデータベースＤＢから取得し、図５に示した画面を表示部２２ｂに表示させる。図５に示す画面では、領域Ｂと領域Ｃの表示されていた位置が部屋割り画面となっている。
【００４２】
部屋割り画面は、各検査室２０Ｃに対応する検査室アイコンＦが表示される領域Ｄと、選択された検査室アイコンＦに対応する検査室２０Ｃの詳細を表示する領域Ｅとを含む。ユーザが、いずれかの検査室アイコンＦを入力部２２ａによって選択すると、その選択された検査室アイコンＦの詳細情報が領域Ｅに表示される（図では検査室３のアイコンを選択した状態）。
【００４３】
各検査室アイコンＦには、検査室２０Ｃの名称、その検査室２０Ｃの検査に関する情報（検査済み人数、未検査人数の情報）、その検査室２０Ｃで検査を担当する医師の情報（医師名等）と、その検査室２０Ｃに設置された内視鏡検査装置２４の情報（種類、メーカー、型式等）とが表示される。
【００４４】
この画面では、領域Ａに表示される検査依頼情報の一覧リストから入力部２２ａを用いて選択した検査依頼情報を所望の検査室アイコンＦ上にドラッグ＆ドロップする（当該所望の検査室アイコンＦを選択することと同義）ことにより、その検査依頼情報に基づく検査を所望の検査室アイコンＦに対応する検査室に割り振ることができるようになっている。
【００４５】
所定の検査室アイコンＦ上に検査依頼情報がドラッグ＆ドロップされた際、クライアントＰＣ２２の制御部２２ｅは、データベースＤＢに登録されている、その検査室アイコンＦに対応する検査室の検査に関する情報を更新する（具体的には、未検査人数を＋１にする）。そして、更新後の情報を再読み込みし、検査室アイコンＦに表示させる検査に関する情報を更新する（未検査人数を＋１にする）。
【００４６】
また、クライアントＰＣ２２の制御部２２ｅは、所定の検査室アイコンＦ上に検査依頼情報がドラッグ＆ドロップされた際、当該検査依頼情報に検査室の情報を対応付けてデータベースＤＢに記録すると共に、当該検査依頼情報に部屋割りが済んだことを示すマーク等を付与したり、当該検査依頼情報を領域Ａから削除したりして、既に部屋割りが済んだ検査依頼情報を一目で分かるようにしておくことが好ましい。
【００４７】
各検査室アイコンＦに表示させる情報のうち、検査に関する情報以外は、ユーザにより、データベースＤＢに予め登録しておく。この登録は、クライアントＰＣ２２にインストールされるアプリケーションプログラムの機能により、例えばクライアントＰＣ２２から入力部２２ａを操作して行う。入力部２２ａを介して入力された情報は、制御部２２ｅにより、送受信部２２ｄを介してデータベースＤＢに登録されるため、制御部２２ｅは、入力部２２ａを介して入力された情報をデータベースＤＢに登録する登録手段として機能する。
【００４８】
なお、検査に関する情報以外の情報は、クライアントＰＣ２２とは別のコンピュータによって登録したり、内視鏡部門サーバ２１によって登録したりできるようにしても良い。クライアントＰＣ２２とは別のコンピュータ又は内視鏡部門サーバ２１によって登録する場合は、コンピュータ又は内視鏡部門サーバ２１がデータベースに情報を登録する登録手段として機能する。
【００４９】
クライアントＰＣ２２の制御部２２ｅは、“部屋割り”ボタンＢ１の押下がなされると、データベースＤＢにアクセスして検査室２０Ｃの検査に関する情報、医師の情報（医師名等）、及び内視鏡検査装置２４の情報を読み出し、それぞれを対応付けて表示させた検査室アイコンＦを含む図５に示した画面を表示部２２ｂに表示させる。
【００５０】
以上のような構成により、例えば、受付のクライアントＰＣ２２の表示部２２ｂには、複数の検査室２０Ｃの各々の検査に関する情報と共に、各検査室２０Ｃで検査を担当する医師の情報と、各検査室２０Ｃに設置された内視鏡検査装置２４の情報とが表示される。このため、これらの情報を総合的に判断して、予約された検査に最適な検査室を決定することができる。この結果、内視鏡検査医療における受付時の効率向上、検査効率の向上を図ることができる。
【００５１】
内視鏡検査は、検査対象部位によって、使用可能な装置が異なる。このため、少なくとも検査に関する情報と検査装置の情報を検査室毎に表示することで、予約された検査に最適な検査室を決定することができる。また、医師と検査装置との相性、検査装置に対する医師の慣れ等によって、医師毎に検査に要する時間も異なってくる。このため、検査室毎の医師の情報も表示させることで、より効率的な割り振りが可能となる。
【００５２】
なお、検査装置の情報と医師の情報のうち、医師の情報は表示させなくとも良い。また、図５の例では、検査に関する情報として検査済み人数の情報を含んでいるが、検査に関する情報としては、予約が割り振られて未検査となっている未検査人数の総数の情報が少なくとも含まれていれば良い。
【００５３】
また、図５に示す画面において、領域Ａに表示する情報を制限してもよい。
【００５４】
例えば、図５に示す画面において、領域Ａには、検査の終了している患者を除く患者の検査依頼情報のみを表示させるようにしてもよい。具体的には、図４に示す画面で部屋割りボタンＢ１が押下された場合に、制御部２２ｅは、図５の領域Ａに、図４の領域Ａに表示されている検査依頼情報のリストのうち、検査が終了している上２つの患者の検査依頼情報以外の検査依頼情報のみを表示させる。
【００５５】
このようにすることで、これから検査をする患者の情報だけが領域Ａに表示されるため、部屋割り作業を効率的に行うことができる。
【００５６】
また、例えば、図５に示す画面において、領域Ａには、図４に示す画面で選択された検査依頼情報のみを表示するようにしてもよい。具体的には、図４に示す画面で、領域Ａの検査依頼情報の１つ又は複数が選択された状態で部屋割りボタンＢ１が押下された場合に、制御部２２ｅは、図５の領域Ａに、当該選択された１つ又は複数の検査依頼情報だけを表示させる。
【００５７】
このようにすることで、これから部屋割りをしたい患者の検査依頼情報だけが領域Ａに表示されるため、部屋割り作業を効率的に行うことができる。
【００５８】
また、領域Ａに表示する情報を制限する場合には、検査依頼情報を検査項目毎や検査予定時刻毎に分類して表示してもよい。このようにすることで、部屋割り作業を更に効率的に行うことができる。
【００５９】
また、図５に示す画面において、現在検査中の検査室２０ｃに対応するアイコンＦについては、検査中であることが分かるように、当該アイコンＦをハイライト表示させる等の制御を行ってもよい。
【００６０】
次に、図１に示すシステムにおける内視鏡部門システムの変形例を説明する。
【００６１】
＜第一の変形例＞
図６は、図１に示すシステムにおける内視鏡部門システムの第一の変形例を示した図である。図６に示すシステムは、各検査室２０Ｃに撮影装置２８を追加した点が図２のシステムと異なる。
【００６２】
撮影装置２８は部門内ＬＡＮ２７に接続されたネットワークカメラであり、内視鏡部門サーバ２１により制御される。撮影装置２８は、それが設置される検査室２０Ｃの中を撮影し、撮影して得られた撮影画像データを内視鏡部門サーバ２１に送信する。
【００６３】
データベースＤＢには、撮影装置２８のシリアルナンバーと、その撮影装置２８が設置された検査室２０Ｃの名称とを対応付けたテーブルが登録されており、内視鏡部門サーバ２１は、撮影画像データの送信元の撮影装置２８のシリアルナンバーと該テーブルとから、その撮影装置２８が設置された検査室２０Ｃの名称をデータベースＤＢから読み込む。
【００６４】
そして、内視鏡部門サーバ２１は、受信した撮影画像データと、該撮影画像データの送信元の撮影装置２８が設置される検査室２０Ｃの名称の情報とを対応付けてデータベースＤＢ（撮影画像データ専用の記憶部であっても良い）に記録する。
【００６５】
この変形例のクライアントＰＣ２２の制御部２２ｅは、“部屋割り”ボタンＢ１の押下に応じて部屋割り画面を表示させる際、データベースＤＢに記録された撮影画像データに基づく画像（ライブ映像）も検査室アイコンＦと対応づけて表示させる（図７参照）。具体的に、クライアントＰＣ２２の制御部２２ｅは、各検査室アイコンＦに表示させる検査室２０Ｃの名称に対応する撮影画像データをデータベースＤＢから読み出し、この撮影画像データを該各検査室アイコンＦと対応付けて表示させる。
【００６６】
図７に示すように、各検査室アイコンＦには、検査室２０Ｃの名称、その検査室２０Ｃの検査に関する情報、その検査室２０Ｃの担当医師の情報、その検査室２０Ｃの検査装置の情報と共に、その検査室２０Ｃの撮影装置２８によって撮影された撮影画像データに基づくライブ映像が表示されることになる。
【００６７】
このような構成により、クライアントＰＣ２２の表示部２２ｂに表示されるライブ映像を見ることで、各検査室２０Ｃの中の状況を容易に把握することができる。例えば、検査の内容についてある医師と連絡を取りたい場合に、その医師が今話せる状態にあるのか、どの検査室にいるのか等を迅速に知ることができ、医師とのコミュニケーションを円滑に図ることができる。この結果、検査室への検査依頼の割り振りを効率的に行うことが可能となる。
【００６８】
なお、図７に示したように、領域Ｅにおいて、選択された検査室のライブ映像については、これを拡大して表示させるようにしても良い。このようにすることで、検査室の様子を確認しやすくなる。また、図７に示した領域Ｄの各検査室アイコンＦにはライブ映像を表示せず、検査室アイコンＦが選択されたときのみ、領域Ｅにて、その選択された検査室のライブ映像を表示するようにしても良い。
【００６９】
また、ここでは、全ての検査室２０Ｃに撮影装置２８を設けているが、複数の検査室２０Ｃのうちの一部にのみ撮影装置２８が設けてあっても良い。その場合は、撮影装置２８が設置された検査室２０Ｃに対する検査室アイコンＦにのみ、撮影画像データに基づく画像を表示させれば良い。
【００７０】
＜第二の変形例＞
図８は、図１に示すシステムにおける内視鏡部門システムの第二の変形例を示す図である。図８に示すシステムは、各検査室２０Ｃと受付２０ＡのクライアントＰＣ２２に通話制御装置２９を追加した点が図６に示したシステムと異なる。
【００７１】
各通話制御装置２９は、制御部２２ｅとこれに接続されたマイク及びスピーカとで構成される。制御部２２ｅの制御により、２つの通話制御装置２９間で、マイクとスピーカによる通話が可能となっている。
【００７２】
図４に示す基本画面において“部屋割り”ボタンＢ１が押下されると、クライアントＰＣ２２の制御部２２ｅは、図９に示した画面を表示部２２ｂに表示させる。図９に示した画面は、検査室アイコンＦの中に、その検査室アイコンＦに対応する検査室にいる人との通話を指示するための通話アイコンＧを表示させた点が図７に示した画面と異なる。
【００７３】
例えば、受付２０ＡのクライアントＰＣ２２を操作するユーザにより、検査室３の通話アイコンＧがクリックされると、受付２０ＡのクライアントＰＣ２２の制御部２２ｅは、検査室３の通話制御装置２９と通信し、その通話制御装置２９との接続を有効にして該通話制御装置２９との通話を可能にする制御を行う。これにより、受付２０Ａにいる人と検査室３にいる人とで通話が可能となる。
【００７４】
この構成により、例えば、検査の内容についてある医師と連絡を取りたい場合に、その医師が今話せる状態にあるのか、どの検査室にいるのか等をライブ映像により確認した上で、医師と通話を行うことができ、医師とのコミュニケーションを円滑に図ることができる。この結果、検査室の割り振り作業を効率的に行うことが可能となる。
【００７５】
なお、受付２０Ａに限らず、前処置室２０Ｂ、内視鏡検査室２０Ｃ、カンファレンス室２０Ｅ等の他の部屋のクライアントＰＣに通話制御装置２９を搭載しても良い。また、通話アイコンＧを表示する代わりに、検査室アイコンＦを右クリック等することで、“通話”というメニューを表示するようにし、そのメニューを選択することで通話が可能になるようにしても良い。また、通話メニューを表示して通話可能にする構成は、図２に示したシステムと組み合わせても良い。また、全ての内視鏡検査室２０ＣのクライアントＰＣ２２のうちの一部にのみ通話制御装置２９を搭載した構成としても良い。
【００７６】
＜第三の変形例＞
この変形例は、図２、図６、図８に示したシステム構成のいずれかにおいて、内視鏡検査装置２４の情報として、その内視鏡検査装置２４で検査できる部位（上部、下部、気管支等）の情報もデータベースＤＢに登録可能としたものである。
【００７７】
この変形例におけるクライアントＰＣ２２の制御部２２ｅは、検査依頼情報に基づく検査の内容及び内視鏡検査装置２４の情報に基づいて、該検査を実施可能な検査室を特定する特定手段と、該特定手段で特定した検査室を、表示部２２ｂに情報を表示させることで外部に通知する通知手段として機能する。
【００７８】
例えば、図５に示した部屋割り画面上で検査依頼情報の中から１つが選択されると、クライアントＰＣ２２の制御部２２ｅは、選択された検査依頼情報に含まれる検査項目と、検査室アイコンＦを表示するために取得していた各検査室Ｃの内視鏡検査装置２４の情報とに基づき、その検査項目を実施可能な検査室２０Ｃを特定する。次に、クライアントＰＣ２２は、特定した検査室２０Ｃ（例えば検査室５，６とする）をユーザに通知するために、例えば、図１０に示したように、特定した検査室に対応する検査室アイコンＦをハイライト表示する。
【００７９】
この構成により、図５に示す部屋割り画面上で検査依頼情報を選択するだけで、その検査依頼情報に基づく検査が実施可能な検査室を瞬時に知ることができる。このため、検査が実施可能な検査室の中から、混雑状況や医師のスキル等を考慮して最適な検査室を選ぶことができるようになり、検査室の決定をより迅速に行うことが可能となる。
【００８０】
なお、ハイライト表示の代わりに、選択された検査依頼情報に基づく検査をどの検査室が実施可能かを文章でポップアップ表示するなど、検査が実施可能な検査室が分かるような表示であればどのような方法を採用しても良い。また、検査を実施可能な検査室の特定は内視鏡部門サーバ２１で行っても良い。
【００８１】
＜第四の変形例＞
この変形例は、図２、図６、図８に示したシステム構成のいずれかにおいて、各検査室のクライアントＰＣから、その検査室で準備されている薬剤の情報（薬剤名称のリスト）等を、その検査室２０Ｃの名称に対応付けてデータベースＤＢに登録できるようにし、部屋割り画面において、その情報も併せて表示できるようにしたものである。
【００８２】
この変形例のクライアントＰＣ２２の制御部２２ｅは、“部屋割り”ボタンＢ１の押下に応じて図５等に示す部屋割り画面を表示させる際、データベースＤＢに記録された薬剤の情報も検査室アイコンＦと対応づけて表示させる。具体的には、クライアントＰＣ２２の制御部２２ｅは、各検査室アイコンＦに表示させる検査室２０Ｃの名称に対応する薬剤の情報をデータベースＤＢから読み出し、この薬剤の情報を該各検査室アイコンＦと対応付けて表示させる。
【００８３】
検査内容によって必要な薬剤も異なるため、この構成によれば、薬剤の情報も考慮した部屋割りが可能となり、より効率的な部屋割りが可能となる。
【００８４】
なお、薬剤の情報の登録は、クライアントＰＣ２２とは別のコンピュータ、内視鏡部門サーバ２１によって行っても良い。
【００８５】
＜第五の変形例＞
この変形例は、図２、図６、図８に示したシステム構成のいずれかにおいて、各検査室２０ＣのクライアントＰＣから、その検査室での作業の進捗状況の情報（検査中、スコープ洗浄中、薬剤準備中、検査待ち等のステータス情報）を、その検査室２０Ｃの名称に対応付けて登録できるようにし、部屋割り画面において、その情報も併せて表示できるようにしたものである。
【００８６】
この変形例のクライアントＰＣ２２の制御部２２ｅは、“部屋割り”ボタンＢ１の押下に応じて図５等に示す部屋割り画面を表示させる際、データベースＤＢに記録された進捗状況の情報も検査室アイコンＦと対応づけて表示させる。具体的に、クライアントＰＣ２２の制御部２２ｅは、各検査室アイコンＦに表示させる検査室２０Ｃの名称に対応する進捗状況の情報をデータベースＤＢから読み出し、この進捗状況の情報を該各検査室アイコンＦと対応付けて表示させる。
【００８７】
進捗状況の情報は、クライアントＰＣ２２の入力部２２ａを用いた手動入力でも良いし、内視鏡検査装置２４が、検査の進捗状況の情報を自動で生成できる機能を持っていても良い。
【００８８】
例えば、内視鏡スコープが接続されたかどうかを検出する機能を内視鏡検査装置２４に持たせておく。そして、内視鏡検査装置２４は、スコープの接続が検出されたときに、内視鏡検査が実施中であることを示す情報を内視鏡部門サーバ２１のデータベースＤＢに登録し、スコープ接続が検出されないときに、検査待ち状態又はスコープ洗浄中であることを示す情報をデータベースＤＢに登録する。クライアントＰＣ２２の制御部２２ｅは、この情報に基づいて、各検査室２０Ｃでの作業の進捗状況の情報を取得し、部屋割り画面において、その情報を併せて表示させれば良い。
【００８９】
検査待ち人数が０の検査室が複数あったときは、検査を早く実施できる検査室を選択することが効率的である。この構成によれば、検査室での進捗状況も表示されるため、早く検査のできる検査室を把握することができ、効率的な部屋割りが可能となる。
【００９０】
なお、進捗状況の情報の登録は、クライアントＰＣ２２とは別のコンピュータ、内視鏡部門サーバ２１によって行っても良い。
【００９１】
＜第六の変形例＞
この変形例は、図６、図８に示したシステム構成において、内視鏡検査装置２４による検査開始（撮影開始）から検査終了（撮影終了）までに得られた検査画像データと、該検査開始から該検査終了までの間に撮影装置２８で撮影して得られた撮影画像データとを対応付けて記録できるようにしたものである。この構成によれば、撮影画像データを、医療事故等があった場合の証拠映像としても使うことができる。
【００９２】
＜第七の変形例＞
内視鏡検査は、一般に次のような流れで進む。まず、医師又は看護士が、患者を検査室に呼び、検査台に寝かせた状態で、検査を行うために内視鏡装置の電源をオンし、内視鏡プローブを装置にセットする等、検査に必要な作業や各種設定を行って、内視鏡検査の準備を完了する。この準備が完了すると、内視鏡で撮影中の画像が内視鏡装置やクライアントＰＣの表示部でプレビュー動画として表示され、検査のための撮影を行うまでの待機状態となる。準備完了後、医師が、プレビュー動画を確認しながら、内視鏡プローブを患者の体内に挿入し、内視鏡先端部を検査対象部位に到達させる。そして、内視鏡先端部が検査対象部位に到達すると、医師は、検査のための撮影を実施する。医師によって撮影がなされると、撮影によって得られる画像データは、画像入力装置を介してデータベースＤＢに記録される。
【００９３】
このような流れで検査が行われるわけだが、実際の医療現場においては、検査の準備が完了してから、医師によって検査が開始されるまでに時間がかかるケースが多くみられる。内視鏡検査は、内視鏡を患者の体内に入れて行う検査であるため、患者にとっての肉体的、精神的苦痛は、マンモグラフィ検査、Ｘ線検査、血液検査等の他の検査よりも大きい。それにも関わらず、検査室に呼ばれてからも検査開始までに長時間待たされるのは、患者にとって精神的負担が大きい。そこで、第七の変形例のシステムは、内視鏡検査の準備が完了してから、患者が待たされている時間が長い場合には、その旨を、クライアントＰＣを介して当該クライアントＰＣを見ている人間に警告する制御（患者ケア制御）を行うことで、この患者の精神的負担を少しでも和らげることを可能にしている。
【００９４】
第七の変形例のシステム構成は図２に示した構成と同じである。ただし、第七の変形例のシステムでは、内視鏡部門サーバ２１が、上述した患者ケア制御を行うためのプログラムを内部メモリに記憶しており、内視鏡部門サーバ２１内のＣＰＵ（中央演算処理装置）がこのプログラムを実行することで、以下に説明する患者ケア制御が行われる。
【００９５】
図１１は、図１に示すシステムにおける内視鏡部門システムの第七の変形例のシステムにおいて実行される患者ケア制御時の動作フローを示す図である。内視鏡部門サーバ２１は、図１１に示した処理を、各検査室２０ｃ毎に行う。
【００９６】
まず、内視鏡部門サーバ２１は、検査室２０ｃにおいて内視鏡検査の準備が完了したか否かを判定する（ステップＳ１）。例えば、内視鏡装置の設定等が完了して準備が完了すると、内視鏡装置からはプレビュー動画が出力されるため、このプレビュー動画を画像入力装置２３を介して受信した場合には、内視鏡検査の準備が完了したと判定し、受信していない場合には、内視鏡検査の準備が完了していないと判定する。または、準備が完了したことを、医師又は看護士が、検査室２０ｃにあるクライアントＰＣから手動で内視鏡部門サーバ２１に通知できるようにしておき、その入力情報の通知の有無で、準備が完了しているかどうかを判定してもよい。このプレビュー動画の１フレーム目と入力情報とが、検査の準備が完了したことを示す準備完了情報となる。
【００９７】
準備完了情報を取得すると（ステップＳ１：ＹＥＳ）、内視鏡部門サーバ２１は、準備完了情報を取得した時点からの経過時間のカウントを開始する（ステップＳ２）。
【００９８】
次に、内視鏡部門サーバ２１は、内視鏡検査が開始されたか否かを判定する（ステップＳ３）。例えば、内視鏡部門サーバ２１は、医師によって１枚目の撮影がなされ、この撮影で得られた画像データを受信した時点で、内視鏡検査が開始されたと判定する。または、検査を開始したことを、医師又は看護士が、検査室２０ｃにあるクライアントＰＣ等から手動で内視鏡部門サーバ２１に通知できるようにしておき、その入力情報の通知の有無で、検査が開始したかどうかを判定してもよい。この１枚目の撮影で得られる画像データと入力情報とが、検査が開始されたことを示す検査開始情報となる。以下では、１枚目の撮影で得られる画像データの取得の有無で検査の開始、未開始を判定するものとして説明する。
【００９９】
検査開始情報が取得されない場合（ステップＳ３：ＮＯ）、内視鏡部門サーバ２１は、準備完了情報を取得した時点からの経過時間が閾値を越えるか否かを判定し、当該経過時間が閾値を越えていた場合（ステップＳ４：ＹＥＳ）にはステップＳ５の処理を行い、当該経過時間が閾値以下であった場合（ステップＳ４：ＮＯ）にはステップＳ３の処理を行う。
【０１００】
ステップＳ５では、患者が検査準備完了から長い間待たされていると判断し、患者が待たされていることを医師、看護士、及びその他病院のスタッフに伝えるために、内視鏡部門サーバ２１が警告処理を行う。
【０１０１】
具体的には、内視鏡部門サーバ２１は、図５に示した画面上に、待たされている患者がいることを示す情報を表示させることで、図５に示した画面を開いている人間に対して警告を行う。例えば、待たされている患者がいる検査室２０ｃに対応するアイコンＦをハイライトさせ、そのアイコンＦの側に「この検査室にて患者様が検査開始まで待たされています。至急ケアしてください」といった文字情報を表示させる。なお、この警告を行うための情報は、図５に示した画面に限らず、クライアントＰＣで表示可能ないずれの画面に表示させてもよい。図５に示す画面以外で警告情報を表示するときには、待たされている患者がいる検査室２０ｃの情報（部屋番号、担当医等）と、上述した文字情報とを、画面上のどこかに対応付けて表示させればよい。例えば、「検査室３（担当医：×××）にて患者様が待たされています。至急ケアしてください。」といった文字情報を、画面上で認識しやすいように表示させればよい。また、文字情報だけでなく、警告音も併せて発せられるようにしてもよい。
【０１０２】
このようにすることで、クライアントＰＣの側にいる人間が、患者が待たされていることを認識することができ、患者のいる検査室に電話をして患者のケアをするよう伝えたり、当該検査室の医師に検査の開始を早めるよう催促したりすることができ、患者の精神的負担を和らげることができる。
【０１０３】
前述したステップＳ３では、１枚目の撮影がなされた時点を検査開始時点と判定しているため、検査準備完了時点から検査開始時点までの時間から、内視鏡が患者の体内に挿入されてから１回目の撮影が開始されるまでの時間を引いた時間が、実際の患者の待ち時間となる。このため、ステップＳ４で経過時間と比較する閾値は、内視鏡が患者の体内に挿入されてから１回目の撮影が開始されるまでの時間（平均的な時間）を考慮した値にする必要がある。
【０１０４】
例えば、１０分以上患者が待たされている場合に警告を行うシステムを構築する場合、ステップＳ４で経過時間と比較する閾値を１０分としてしまうと、内視鏡が患者の体内に挿入されてから１回目の撮影が開始されるまでの時間に５分かかっていた場合に、患者は５分しか待たされていないのに、警告が出てしまうことになるからである。
【０１０５】
なお、内視鏡が患者の体内に挿入されてから１回目の撮影が開始されるまでの時間は、検査対象部位（上部、下部）や医師の熟練度によっても変化する。このため、上記閾値は、検査対象部位及び担当医の少なくとも一方毎に異なる値として内視鏡部門サーバ２１に登録しておくことが好ましい。
【０１０６】
フローの説明に戻り、ステップＳ３で検査が開始されたと判定した場合には、内視鏡部門サーバ２１が、既に警告を行ったかどうかを判定し、警告を行っていた場合（ステップＳ６：ＹＥＳ）には、この警告を解除して（ステップＳ７）、患者ケア制御を終了し、警告を行っていない場合（ステップＳ６：ＮＯ）には、そのまま患者ケア制御を終了する。
【０１０７】
このような患者ケア制御を行うことで、内視鏡検査時における患者の精神的負担を緩和することができ、患者との無用なトラブルを防いだり、患者の病院に対する満足度を向上させたりすることできる。
【０１０８】
（第八の変形例）
この変形例では、患者ケア制御の別の実施方法を説明する。システム構成は、図６に示したものを前提として説明する。また。第七の変形例と同様に、内視鏡部門サーバ２１が、患者ケア制御を行うためのプログラムを内部メモリに記憶しており、内視鏡部門サーバ２１内のＣＰＵ（中央演算処理装置）がこのプログラムを実行することで、以下に説明する患者ケア制御が行われる。
【０１０９】
図１２は、図１に示すシステムにおける内視鏡部門システムの第八の変形例のシステムにおいて実行される患者ケア制御時の動作フローを示す図である。内視鏡部門サーバ２１は、図１２に示した処理を、各検査室２０ｃ毎に行う。
【０１１０】
まず、内視鏡部門サーバ２１は、検査室２０ｃにおいて内視鏡検査の準備が完了したか否かを判定する（ステップＳ１１）。この判定の方法は第七の変形例で説明したのと同様である。
【０１１１】
準備完了情報を取得した場合（ステップＳ１１：ＹＥＳ）、内視鏡部門サーバ２１は、検査室２０ｃにある撮影装置２８から送信されてくる動画の解析を開始する（ステップＳ１２）。具体的には、動画中に含まれる人間の数を、周知の顔検出処理、動体検出処理等を組み合わせて検出する。
【０１１２】
内視鏡部門サーバ２１は、解析の結果、動画に含まれる人間の数が２以上であった場合（ステップＳ１３：ＹＥＳ）にはステップＳ１９の処理を実行し、動画に含まれる人間の数が２未満であった場合（ステップＳ１３：ＮＯ）にはステップＳ１４の処理を実行する。
【０１１３】
ステップＳ１４では、内視鏡部門サーバ２１が、動画に含まれる人間の数が２未満になってからの経過時間のカウントを開始する。次に、内視鏡部門サーバ２１は、動画に含まれる人間の数が２以上になった場合（ステップＳ１５：ＹＥＳ）には、カウント中の経過時間をリセットして（ステップＳ１６）ステップＳ１９の処理を実行し、動画に含まれる人間の数が２未満のままの場合（ステップＳ１５：ＮＯ）にはステップＳ１７で、カウントした経過時間と閾値とを比較する。
【０１１４】
ステップＳ１７の比較の結果、カウント値（経過時間）が閾値を越えていた場合、この場合には、検査の準備が完了しているにも関わらず、検査室２０ｃ内には患者だけが閾値を越える時間待たされていると判断できるため、内視鏡部門サーバ２１は、第七の変形例で説明したのと同様の手法で警告を行う（ステップＳ１８）。
【０１１５】
ステップＳ１７の比較の結果、カウント値（経過時間）が閾値未満であった場合と、ステップＳ１８の処理の後は、ステップＳ１５の処理が再び行われる。
【０１１６】
ステップＳ１３：ＹＥＳ及びステップＳ１６のあとに行われるステップＳ１９では、内視鏡部門サーバ２１が、検査室２０ｃ内で内視鏡検査が開始されたか否かを判定する。この判定の方法は、第七の変形例で説明したのと同様に行う。
【０１１７】
ステップＳ１９で検査が開始されたと判定した場合には、内視鏡部門サーバ２１が、既に警告を行ったかどうかを判定し、警告を行っていた場合（ステップＳ２０：ＹＥＳ）には、この警告を解除して（ステップＳ２１）患者ケア制御を終了し、警告を行っていない場合（ステップＳ２０：ＮＯ）には、そのまま患者ケア制御を終了する。
【０１１８】
なお、ステップＳ１４でカウント値と比較する閾値は、検査の準備完了後に患者が１人で待たされている時間として許容できる値を設定すればよく、医師毎や検査対象部位毎に閾値を変える必要はない。
【０１１９】
このような患者ケア制御によれば、検査の準備完了後に患者が１人で待たされている時間が閾値を越えた場合に、患者をケアするために必要な警告を行うことができる。検査の準備完了後に患者が待たされるパターンとしては、医師又は看護士が検査室２０ｃ内にいるのに待たされているパターンと、検査室２０ｃに患者が１人きりで待たされているパターンとがある。前者のパターンであれば、患者のケアを行う人間が検査室２０ｃにいるため、警告を行う必要性は低い。ところが、後者のパターンでは、患者の不安感が強くなるため、警告を行う必要性が高い。図１２に示した患者ケア制御によれば、後者のパターンだけを認識して警告することができるため、無駄のない、効率的な制御が可能となる。
【０１２０】
なお、図１１に示した患者ケア制御は、第一〜第六の変形例と組み合わせることができる。また、図１２に示した患者ケア制御は、第二〜第六の変形例と組み合わせることができる。
【０１２１】
以上のように、本明細書には次の事項が開示されている。
【０１２２】
開示された検査室決定支援システムは、複数ある検査室の中から、依頼された内視鏡検査を実施する検査室を決定する支援を行う検査室決定支援システムであって、情報を入力するための入力手段と、前記入力手段によって入力される情報にしたがって、少なくとも、前記検査室を示す情報、前記検査室の検査待ち人数を示す情報、及び前記検査室で使用される内視鏡装置の情報をデータベースに登録する登録手段と、少なくとも、前記検査室を示す情報、前記検査室の検査待ち人数を示す情報、及び前記検査室の前記内視鏡装置の情報を前記データベースから読み出し、それぞれを対応付けて表示装置に表示させる制御手段と、を備える。
【０１２３】
この構成により、表示装置には、前記検査室を示す情報、検査室の検査待ち人数を示す情報、その検査室に設置された内視鏡装置の情報が表示される。このため、これらの情報を総合的に判断して、依頼された検査に最適な検査室を決定することができる。この結果、内視鏡検査医療における受付時の効率向上、検査効率の向上を図ることができる。
【０１２４】
開示された検査室決定支援システムは、前記登録手段が、前記検査室で検査を担当する医師の情報も前記データベースに登録し、前記制御手段が、前記データベースから前記検査室の前記医師の情報を読み出し、該情報を該検査室を示す情報と対応付けて前記表示装置に表示させる。
【０１２５】
この構成により、表示装置には、検査室の検査待ち人数を示す情報等と共に、その検査室の医師の情報も表示される。このため、これらの情報を総合的に判断して、依頼された検査に最適な検査室を決定することができる。
【０１２６】
開示された検査室決定支援システムは、前記制御手段が、前記検査の依頼に関する検査依頼情報の一覧を前記データベースから読み出して前記検査室を示す情報と共に前記表示装置に表示させ、前記登録手段が、前記表示装置に表示される検査依頼情報の中から１つの検査依頼情報が前記入力手段を介して選択され、かつ、前記表示装置に表示された複数の前記検査室を示す情報の中から１つの前記検査室を示す情報が前記入力手段を介して選択されると、前記データベースに登録される当該選択された検査室の検査待ち人数を１つ増やして前記検査待ち人数を示す情報を更新するものである。
【０１２７】
この構成により、検査依頼情報、検査室を示す情報、検査室の検査待ち人数を示す情報、その検査室に設置された内視鏡装置の情報等を表示装置で確認できると共に、表示された検査依頼情報と検査室を示す情報を選択するだけで、依頼された検査に最適な検査室を簡単に決定することができる。
【０１２８】
開示された検査室決定支援システムは、前記制御手段が、前記検査の依頼に関する検査依頼情報のうち、終了した検査に関する検査依頼情報を除外したものを前記表示装置に表示させるものである。
【０１２９】
この構成により、表示装置には検査室の決定を行う必要のある未実施の検査の検査依頼情報だけが表示されるため、検査室の決定を効率的に行うことができる。
【０１３０】
開示された検査室決定支援システムは、前記制御手段が、前記検査の依頼に関する検査依頼情報のうち、前記入力手段を介して選択されたもののみを前記表示装置に表示させるものである。
【０１３１】
この構成により、表示装置には選択された検査依頼情報だけが表示されるため、検査室の決定ミス等を防いで、業務を効率的に行うことができる。
【０１３２】
開示された検査室決定支援システムは、前記制御手段が、前記表示装置に表示される検査依頼情報の中から１つの検査依頼情報が前記入力手段を介して選択され、かつ、前記表示装置に表示された複数の前記検査室を示す情報の中から１つの前記検査室を示す情報が前記入力手段を介して選択されると、当該選択された１つの検査依頼情報を前記表示装置の表示画面上から削除するものである。
【０１３３】
この構成により、既に検査室を決定した検査依頼情報を再度選択してしまうのを防ぐことができ、検査室の決定ミス等を防いで、業務を効率的に行うことができる。
【０１３４】
開示された検査室決定支援システムは、前記複数の検査室の少なくとも一部に設置され、設置された前記検査室の中を撮影する撮影装置、で撮影して得られた撮影画像データを前記撮影装置から取得する撮影画像データ取得手段を備え、前記制御手段が、前記少なくとも一部の前記検査室の各々、又は、前記少なくとも一部の前記検査室の中から選択された検査室を示す情報と対応付けて、該検査室の前記撮影装置で撮影して得られた前記撮影画像データを前記表示装置に表示させる。
【０１３５】
この構成により、表示装置に表示される撮影画像を見ることで、検査室の中の状況を容易に把握することができる。例えば、検査の内容についてある医師と連絡を取りたい場合に、その医師が今話せる状態にあるのか、どの検査室にいるのか等を迅速に知ることができ、医師とのコミュニケーションを円滑に図ることができる。この結果、検査室の決定を効率的に行うことが可能となる。
【０１３６】
開示された検査室決定支援システムは、前記複数の検査室の少なくとも一部に設置された第一の通話制御装置と通話するための第二の通話制御装置を備え、前記制御手段が、前記第一の通話制御装置が設置された前記検査室に関しては、前記検査室を示す情報と対応付けて前記検査室との通話を指示するための操作メニューを前記表示装置に表示し、前記第二の通話制御装置は、前記操作メニューによって前記検査室との通話が指示されたときに、前記検査室に設置された前記第一の通話制御装置と通信して該第一の通話制御装置と通話可能にする制御を行う。
【０１３７】
この構成により、例えば、検査の内容についてある医師と連絡を取りたい場合に、その医師が今話せる状態にあるのか、どの検査室にいるのか等を画像により確認した上で、医師と通話を行うことができ、医師とのコミュニケーションを円滑に図ることができる。この結果、検査室の決定を効率的に行うことが可能となる。
【０１３８】
開示された検査室決定支援システムは、前記検査室において検査の準備が完了したことを示す準備完了情報を取得する準備完了情報取得手段と、前記検査室において検査が開始されたことを示す検査開始情報を取得する検査開始情報取得手段と、前記検査室の前記撮影装置で撮影して得られた前記撮影画像データに基づいて、当該撮影画像データに含まれる人の数を判定する判定手段と、前記準備完了情報を取得してから前記検査開始情報を取得するまでの間に、当該撮影画像データに含まれる人の数が２人未満となっている時間が閾値を越えた場合に、前記検査室で患者が待たされていることを警告する情報を前記表示装置に表示させる警告情報表示制御手段とを含む装置を備えるものである。
【０１３９】
この構成により、検査の準備が完了しているのに、検査室で患者が長時間待たされている状況を確認することができ、患者の精神的負担を緩和することができる。
【０１４０】
開示された検査室決定支援システムは、前記検査室において検査の準備が完了したことを示す準備完了情報を取得する準備完了情報取得手段と、前記検査室において検査が開始されたことを示す検査開始情報を取得する検査開始情報取得手段と、前記準備完了情報を取得してから前記検査開始情報を取得するまでの時間が閾値を越えた場合に、前記検査室で患者が待たされていることを警告する情報を前記表示装置に表示させる警告情報表示制御手段とを含む装置を備えるものである。
【０１４１】
この構成により、検査の準備が完了しているのに、検査室で患者が長時間待たされている状況を確認することができ、患者の精神的負担を緩和することができる。
【０１４２】
開示された検査室決定支援システムは、前記検査開始情報が、前記内視鏡装置において１回目の静止画撮影を行って生成される画像データであるものである。
【０１４３】
この構成により、検査開始のタイミングを簡単な構成で自動的に検知することができる。
【０１４４】
開示された検査室決定支援システムは、前記閾値が、前記検査室で行われる検査の検査対象部位及び前記検査室で検査を担当する医師の少なくとも一方に応じて異なる値となっているものである。
【０１４５】
この構成により、検査対象部位や検査担当医師に関わらずに、警告を正確に行うことができる。
【０１４６】
開示された検査室決定支援システムは、前記準備完了情報が、前記内視鏡装置から送信されてくる動画データであるものである。
【０１４７】
この構成により、検査準備完了のタイミングを簡単な構成で自動的に検知することができる。
【０１４８】
開示された検査室決定支援システムは、前記内視鏡装置の情報が、前記内視鏡装置で検査できる部位の情報を含み、前記依頼された検査の内容及び前記内視鏡装置の情報に基づいて、前記依頼された検査を実施可能な検査室を特定する特定手段と、前記特定手段で特定された検査室を、前記表示装置に情報を表示させることで外部に通知する通知手段とを備える。
【０１４９】
この構成により、表示装置を見ることで、依頼された検査が実施可能な検査室を瞬時に知ることができる。このため、検査が実施可能な検査室の中から、混雑状況や医師のスキル等を考慮して最適な検査室を選ぶことができるようになり、検査室の決定をより迅速に行うことが可能となる。
【０１５０】
開示された検査室決定支援システムは、前記登録手段が、前記検査室で準備されている薬剤の情報も前記データベースに登録し、前記制御手段が、前記データベースから前記検査室の前記薬剤の情報を読み出し、該情報を前記検査室を示す情報と対応付けて前記表示装置に表示させる。
【０１５１】
この構成により、表示装置には、検査室の検査待ち人数を示す情報等と共に、その検査室で準備されている薬剤の情報も表示される。このため、これらの情報を総合的に判断して、依頼された検査に最適な検査室を決定することができる。
【０１５２】
開示された検査室決定支援システムは、前記登録手段が、前記検査室での作業の進捗状況の情報も前記データベースに登録し、前記制御手段が、前記データベースから前記検査室での作業の進捗状況の情報を読み出し、該情報を前記検査室を示す情報と対応付けて前記表示装置に表示させる。
【０１５３】
この構成により、表示装置には、検査室の検査待ち人数を示す情報等と共に、その検査室での作業の進捗状況の情報も表示される。このため、これらの情報を総合的に判断して、依頼された検査に最適な検査室を決定することができる。
【０１５４】
開示された検査室決定支援方法は、複数ある検査室の中から、依頼された内視鏡検査を実施する検査室を決定する支援をコンピュータにより行う検査室決定支援方法であって、情報を入力するための入力手段によって入力される情報にしたがって、少なくとも、前記検査室を示す情報、前記検査室の検査待ち人数を示す情報、及び前記検査室で使用される検査装置の情報とをデータベースに登録する登録ステップと、少なくとも、前記検査室を示す情報、前記検査室の検査待ち人数を示す情報、及び前記検査室の前記内視鏡装置の情報を前記データベースから読み出し、それぞれを対応付けて表示装置に表示させる制御ステップと、を備える。
【０１５５】
開示された検査室決定支援方法は、前記登録ステップでは、前記検査室で検査を担当する医師の情報も前記データベースに登録し、前記制御ステップでは、前記データベースから前記検査室の前記医師の情報を読み出し、該情報を該検査室を示す情報と対応付けて前記表示装置に表示させる。
【０１５６】
開示された検査室決定支援方法は、前記制御ステップでは、前記検査の依頼に関する検査依頼情報の一覧を前記データベースから読み出して前記検査室を示す情報と共に前記表示装置に表示させ、前記登録ステップでは、前記表示装置に表示される検査依頼情報の中から１つの検査依頼情報が前記入力手段を介して選択され、かつ、前記表示装置に表示された複数の前記検査室を示す情報の中から１つの前記検査室を示す情報が前記入力手段を介して選択されると、前記データベースに登録される当該選択された検査室の検査待ち人数を１つ増やして前記検査待ち人数を示す情報を更新するものである。
【０１５７】
開示された検査室決定支援方法は、前記制御ステップでは、前記検査の依頼に関する検査依頼情報のうち、終了した検査に関する検査依頼情報を除外したものを前記表示装置に表示させるものである。
【０１５８】
開示された検査室決定支援方法は、前記制御ステップでは、前記検査の依頼に関する検査依頼情報のうち、前記入力手段を介して選択されたもののみを前記表示装置に表示させるものである。
【０１５９】
開示された検査室決定支援方法は、前記制御ステップでは、前記表示装置に表示される検査依頼情報の中から１つの検査依頼情報が前記入力手段を介して選択され、かつ、前記表示装置に表示された複数の前記検査室を示す情報の中から１つの前記検査室を示す情報が前記入力手段を介して選択されると、当該選択された１つの検査依頼情報を前記表示装置の表示画面上から削除するものである。
【０１６０】
開示された検査室決定支援方法は、前記複数の検査室の少なくとも一部に設置され、設置された前記検査室の中を撮影する撮影装置、で撮影して得られた撮影画像データを前記撮影装置から取得する撮影画像データ取得ステップを備え、前記制御ステップでは、前記少なくとも一部の前記検査室、又は、前記少なくとも一部の前記検査室の中から選択された検査室を示す情報と対応付けて、該検査室の前記撮影装置で撮影して得られた前記撮影画像データを前記表示装置に表示させる。
【０１６１】
開示された検査室決定支援方法は、前記制御ステップでは、前記検査室を示す情報と対応付けて、前記検査室に設置された通話制御装置による通話を指示するための操作メニューも前記表示装置に併せて表示し、前記操作メニューによって前記検査室との通話が指示されたときに、前記検査室に設置された前記通話制御装置と通信して該通話制御装置との通話を可能にする制御を行う通話制御ステップを備える。
【０１６２】
開示された検査室決定支援方法は、前記検査室において検査の準備が完了したことを示す準備完了情報を取得する準備完了情報取得ステップと、前記検査室において検査が開始されたことを示す検査開始情報を取得する検査開始情報取得ステップと、前記検査室の前記撮影装置で撮影して得られた前記撮影画像データに基づいて、当該撮影画像データに含まれる人の数を判定する判定ステップと、前記準備完了情報を取得してから前記検査開始情報を取得するまでの間に、当該撮影画像データに含まれる人の数が２人未満となっている時間が閾値を越えた場合に、前記検査室で患者が待たされていることを警告する情報を前記表示装置に表示させる警告情報表示制御ステップとを含むものである。
【０１６３】
開示された検査室決定支援方法は、前記検査室において検査の準備が完了したことを示す準備完了情報を取得する準備完了情報取得ステップと、前記検査室において検査が開始されたことを示す検査開始情報を取得する検査開始情報取得ステップと、前記準備完了情報を取得してから前記検査開始情報を取得するまでの時間が閾値を越えた場合に、前記検査室で患者が待たされていることを警告する情報を前記表示装置に表示させる警告情報表示制御ステップとを含むものである。
【０１６４】
開示された検査室決定支援方法は、前記検査開始情報が、前記内視鏡装置において１回目の静止画撮影を行って生成される画像データであるものである。
【０１６５】
開示された検査室決定支援方法は、前記閾値が、前記検査室で行われる検査の検査対象部位及び前記検査室で検査を担当する医師の少なくとも一方に応じて異なる値となっているものである。
【０１６６】
開示された検査室決定支援方法は、前記準備完了情報が、前記内視鏡装置から送信されてくる動画データであるものである。
【０１６７】
開示された検査室決定支援方法は、前記内視鏡装置の情報が、前記内視鏡装置で検査できる部位の情報を含み、前記依頼された検査の内容及び前記内視鏡装置の情報に基づいて、前記依頼された検査を実施可能な検査室を特定する特定ステップと、前記特定ステップで特定した検査室を、前記表示装置に情報を表示させることで外部に通知する通知ステップとを備える。
【０１６８】
開示された検査室決定支援方法は、前記登録ステップでは、前記検査室で準備されている薬剤の情報も前記データベースに登録し、前記制御ステップでは、前記データベースから前記検査室の前記薬剤の情報を読み出し、該情報を前記検査室を示す情報と対応付けて前記表示装置に表示させる。
【０１６９】
開示された検査室決定支援方法は、前記登録ステップでは、前記検査室での作業の進捗状況の情報も前記データベースに登録し、前記制御ステップでは、前記データベースから前記検査室での作業の進捗状況の情報を読み出し、該情報を前記検査室を示す情報と対応付けて前記表示装置に表示させる。
【０１７０】
開示された検査室決定支援プログラムは、コンピュータに、前記検査室決定支援方法の前記登録ステップ及び前記制御ステップを実行させるためのプログラムである。
【符号の説明】
【０１７１】
２０Ｃ  内視鏡検査室
２２ａ  入力部
２２ｂ  表示部
２２ｅ  制御部
２４  内視鏡検査装置
ＤＢ  データベース
【図１】
2011096235.tif 000003
【図２】
2011096235.tif 000004
【図３】
2011096235.tif 000005
【図４】
2011096235.tif 000006
【図５】
2011096235.tif 000007
【図６】
2011096235.tif 000008
【図７】
2011096235.tif 000009
【図８】
2011096235.tif 000010
【図９】
2011096235.tif 000011
【図１０】
2011096235.tif 000012
【図１１】
2011096235.tif 000013
【図１２】
2011096235.tif 000014